(57)【要約】【課題】金属製のジョイナーや薄板材を用いることなく防火性を確保できるとともにシーリング材に対する厚み調整機能を容易に確保できる外壁目地構造を提供する。【解決手段】外壁目地構造は、隣り合う外壁面材１３，１３に跨って屋内側に下地材１４が設けられており、上記外壁面材１３，１３間に位置する浅目地ＳＪには、防火性を有する目地材として不燃性バックアップ材４が上記下地材１４で支持されており、上記不燃性バックアップ材４の屋外側に湿式のシーリング材５が塗布されている。【選択図】図１
2020094418.tif 000002
【特許請求の範囲】
【請求項１】
隣り合う外壁面材に跨って屋内側に下地材が設けられており、上記外壁面材間の第１目地には、防火性を有する目地材が上記下地材で支持されており、上記目地材の屋外側に湿式のシーリング材を備えることを特徴とする外壁目地構造。
【請求項２】
請求項１に記載の外壁目地構造において、上記目地材は、アルミガラスクロス層を有することを特徴とする外壁目地構造。
【請求項３】
請求項１または請求項２に記載の外壁目地構造において、上記目地材は、防火性樹脂層を有することを特徴とする外壁目地構造。
【請求項４】
請求項１〜請求項３のいずれか１項に記載の外壁目地構造において、上記目地材は、ボンドブレーカを一体的に備えることを特徴とする外壁目地構造。
【請求項５】
請求項１〜請求項４のいずれか１項に記載の外壁目地構造において、上記目地材は、両面テープによって上記下地材に貼付されることを特徴とする外壁目地構造。
【請求項６】
請求項１〜請求項５のいずれか１項に記載の外壁目地構造の箇所と、外壁パネル間の下地材が途切れた第２目地に、防火性を有する目地材が設けられており、上記目地材の屋外側に湿式のシーリング材を備える外壁目地構造の箇所と、が建物の外壁に混在することを特徴とする外壁目地構造。
【請求項７】
請求項６に記載の外壁目地構造において、上記第２目地に設けられる上記目地材は、グラスウールを備えることを特徴とする外壁目地構造。
【請求項８】
請求項６に記載の外壁目地構造において、上記第２目地に設けられる目地材は、上記第１目地に設けられる目地材に用いられる防火性の素材と同一の素材を備えることを特徴とする外壁目地構造。
【発明の詳細な説明】
【技術分野】
【０００１】
この発明は、防火性を有する外壁目地構造に関する。
【背景技術】
【０００２】
特許文献１には、逆ハット状に形成した長尺体からなる化粧カバーと、長尺状平板からなる係止体と、略断面をハット状に形成した長尺体からなるジョイナーとを備え、ジョイナーの立ち上がり部と設置面上に無機シートを敷設し、設置面上の無機シート上に左右の建築用パネルの端部が敷設されており、係止体の略中央とジョイナーの立ち上がり部が耐火断熱材を介して向かい合うようにして係止体の左右端が建築用パネルの表面材に固定されていると共に、係止体の略中央に化粧カバーの固定溝が当接して固定された、隣り合う外壁パネルの接合部となる縦目地の構造が開示されている。
【０００３】
また、外壁パネルの目地においては、隣り合う外壁パネルの接合部ではなく、１枚の外壁パネルの外壁面材間に形成される浅目地がある。従来、この浅目地に防火性を持たせるために、上記浅目地の裏面側(屋内側)を金属製の薄板材で覆っていた。
【先行技術文献】
【特許文献】
【０００４】
【特許文献１】特許第３０８４３２９号公報
【発明の概要】
【発明が解決しようとする課題】
【０００５】
しかしながら、上記金属製のジョイナーや薄板材を用いる場合、これらをビス等で留め付けるため、作業工数が増える。また、外壁面材を予め工場等で取り付けた外壁パネルを現場にて組み合わせる工法においては、上記金属製のジョイナーを用い辛い。また、上記金属製のジョイナーや薄板材は、角が鋭利であり、取り扱に慎重を要する。さらに、上記ジョイナーに湿式のシーリング材に対する厚み調整機能を持たせることは容易でない。
【０００６】
この発明は、金属製のジョイナーや薄板材を用いることなく防火性を確保できるとともにシーリング材に対する厚み調整機能を容易に確保できる外壁目地構造を提供する。
【課題を解決するための手段】
【０００７】
この発明の外壁目地構造は、上記の課題を解決するために、隣り合う外壁面材に跨って屋内側に下地材が設けられており、上記外壁面材間の第１目地には、防火性を有する目地材が上記下地材で支持されており、上記目地材の屋外側に湿式のシーリング材を備えることを特徴とする。
【０００８】
これにより、上記第１目地において、金属製の薄板材を用いることなく、防火性を確保することができる。
【０００９】
上記目地材は、アルミガラスクロス層を有してもよい。アルミガラスクロス層は比較的安価であるので、外壁目地構造の低コスト化が図れる。
【００１０】
上記目地材は、防火性樹脂層を有してもよい。これによれば、防火性樹脂層の製造厚みを調整することで、シーリング材に対する厚み調整機能を容易に確保できる。
【００１１】
上記目地材は、ボンドブレーカを一体的に備えてもよい。これによれば、別途、ボンドブレーカを取り付ける手間が省けることで、目地のシーリング作業が効率的に行える。
【００１２】
上記目地材は、両面テープによって上記下地材に貼付されてもよい。これによれば、目地のシーリング作業が効率的に行える。
【００１３】
また、この発明の外壁目地構造は、上記のいずれかに記載の外壁目地構造の箇所と、外壁パネル間の下地材が途切れた第２目地に、防火性を有する目地材が設けられており、上記目地材の屋外側に湿式のシーリング材を備える外壁目地構造の箇所と、が建物の外壁に混在することを特徴とする。これによれば、第１目地の箇所と第２目地の箇所とにおいて、目地構造を極力共通化することができ、これにより、目地施工作業の効率化が図れる。
【００１４】
上記第２目地に設けられる上記目地材は、グラスウールを備えてもよい。このような、グラスウールを備える場合でも、金属製のジョイナーを用いる場合に比べて、目地施工作業の効率化が図れる。
【００１５】
上記第２目地に設けられる目地材は、上記第１目地に設けられる目地材に用いられる防火性の素材と同一の素材を備えてもよい。これによれば、第１目地の箇所と第２目地の箇所とで目地構造を共通化することができ、この共通化により、目地施工作業の効率化が図れる。
【発明の効果】
【００１６】
本発明であれば、上記第１目地において、金属製の薄板材を用いることなく、防火性を確保することができる。また、防火性樹脂を有する構成であれば、シーリング材に対する厚み調整機能を容易に確保できる。また、第１目地の箇所と第２目地の箇所とにおいて、目地構造を極力共通化することができるので、目地施工作業の効率化が図れる。
【図面の簡単な説明】
【００１７】
【図１】この実施形態の目地構造を有する外壁構造を示した説明図である。
【図２】この実施形態の目地構造に用いられる不燃性バックアップ材を示した説明図である。
【図３】この実施形態の目地構造を有する階間構造を示した説明図である。
【発明を実施するための形態】
【００１８】
以下、この発明の一態様に係る実施形態を添付図面に基づいて説明する。図１に示すように、この実施形態の外壁構造１００は、複数枚の外壁パネル１を備える。各外壁パネル１は、例えば、断面コ字形状の形鋼材を方形状に組んでなるフレーム１１に、下地材１２を介して、外壁面材１３が取り付けられた構造を有する。また、外壁パネル１は、上記フレーム１１が柱材２等の建物躯体にボルト・ナット等の締結部材３によって固定される。
【００１９】
そして、１枚の外壁パネル１は、複数枚の外壁面材１３を備える。複数枚の外壁面材１３における隣り合う外壁面材１３，１３は、これらを跨ぐように屋内側に設けられた下地材１４によって連結されている。上記外壁面材１３，１３間に位置する第１目地である浅目地ＳＪには、防火性目地材である不燃性バックアップ材４が設けられている。この不燃性バックアップ材４は、上記下地材１４によって支持される。そして、上記不燃性バックアップ材４上に湿式のシーリング材５が塗布される。
【００２０】
また、この実施形態の外壁構造１００では、上記の浅目地ＳＪを有する外壁目地構造の箇所と、外壁パネル１，１間の下地材１２が途切れた第２目地である深目地ＤＪを有する外壁目地構造の箇所とが建物の外壁に混在する。深目地ＤＪには、防火性目地材であるバックアップ材６が設けられており、上記バックアップ材６上にボンドブレーカを介して湿式のシーリング材５が塗布されている。上記バックアップ材６は、例えば、グラスウールからなり、上記不燃性バックアップ材４に比べて厚く形成されている。
【００２１】
上記不燃性バックアップ材４は、図２に示すように、アルミガラスクロス層４１を有する。このアルミガラスクロス層４１は、不燃性のアルミニウムシートと不燃性のガラス繊維シートとを積層して接着したものである。なお、防火性目地材である上記不燃性バックアップ材４としては、アルミガラスクロス層４１を備えるものに限らず、このアルミガラスクロス層４１に替えて、アルミニウムシート等の金属シートのみ備えるもの等でもよい。
【００２２】
また、上記不燃性バックアップ材４では、上記アルミガラスクロス層４１が防火性樹脂層としての難燃性発泡樹脂層４２によって支持されている。この難燃性発泡樹脂層４２は、難燃性樹脂を例えば加熱発泡することにより形成される。なお、必ずしも発泡されている必要はない。
【００２３】
また、不燃性バックアップ材４は、難燃性発泡樹脂層４２の上面にボンドブレーカ４４を一体的に備える。このボンドブレーカ４４は、上記シーリング材５の目地内での２面接着を実現するものであり、例えば、樹脂テープ等からなる。
【００２４】
そして、この不燃性バックアップ材４においては、難燃性発泡樹脂層４２の下面に、両面テープ４３が、その一方の粘着面によって貼付されている。両面テープ４３の他方の側の剥離紙を剥がし、他方の粘着面を露呈させ、この他方の粘着面を、上記外壁面材１３，１３間に位置する浅目地ＳＪの箇所において、下地材１４に貼り付けることで、不燃性バックアップ材４が浅目地ＳＪに固定される。
【００２５】
以上のように、この実施形態の外壁目地構造においては、１枚の外壁パネル１における隣り合う外壁面材１３，１３に跨って屋内側に下地材１４が設けられており、上記外壁面材１３，１３間に位置する浅目地ＳＪには、不燃性バックアップ材４が上記下地材１４で支持されており、上記不燃性バックアップ材４のボンドブレーカ４４上に湿式のシーリング材５が塗布されている。
【００２６】
これにより、上記浅目地ＳＪにおいて、金属製の薄板材を用いることなく、防火性を確保することができる。
【００２７】
また、上記不燃性バックアップ材４は、アルミガラスクロス層４１を備える。このアルミガラスクロス層４１は比較的安価であるので、外壁目地構造の低コスト化が図れる。
【００２８】
また、上記不燃性バックアップ材４は、難燃性発泡樹脂層４２を備える。これによれば、難燃性発泡樹脂層４２の製造厚みを調整することで、シーリング材５に対する厚み調整機能を容易に確保できる。
【００２９】
また、上記不燃性バックアップ材４は、上記ボンドブレーカ４４を一体的に備える。これによれば、別途、ボンドブレーカを取り付ける手間が省けることで、目地のシーリング作業が効率的に行える。もちろん、ボンドブレーカ４４を備えない不燃性バックアップ材としてもよく、この不燃性バックアップ材に、別途、ボンドブレーカを介して湿式のシーリング材を塗布することもできる。
【００３０】
また、上記不燃性バックアップ材４は、両面テープ４３によって上記下地材１４に貼付される。これにより、目地のシーリング作業が効率的に行える。
【００３１】
また、この発明の外壁目地構造は、上記の浅目地ＳＪによる外壁目地構造の箇所と、深目地ＤＪによる外壁目地構造の箇所とが混在する。これによれば、浅目地ＳＪの箇所と深目地ＤＪの箇所とにおいて、目地構造を極力共通化することができ、目地施工作業の効率化が図れる。ここで、深目地ＤＪに設けられるバックアップ材６は、上記のグラスウールではなく、浅目地ＳＪに設けられる不燃性バックアップ材４と素材と同一の素材を備えてもよい。例えば、不燃性バックアップ材４と同じ構成を有する一方で、難燃性発泡樹脂層４２の厚みを深目地ＤＪの深さに合わせて厚くしてもよい。これによれば、浅目地ＳＪの箇所と深目地ＤＪの箇所とで目地構造を共通化することができる。この共通化により、バックアップ材の低価格化および目地施工作業の効率化等が図れる。また、上記のグラスウールではボンドブレーカの一体化は容易でなく、ボンドブレーカを別途設けることが必要とされるが、バックアップ材６を不燃性バックアップ材４と同じ構成とすることで、ボンドブレーカを別途装着する作業手間を解消することができる。
【００３２】
図３は、一実施形態に係る建物の階間部を示している。この階間部では、胴差２Ａの下側に位置する外壁パネル１における上側の下地材１２が階間側に突出しており、また、胴差２Ａの上側に位置する外壁パネル１における下側の下地材１２が階間側に突出している。そして、外壁面材である胴差面材１３Ａが、胴差２Ａの屋外側の位置で、上記下地材１２に支持されている。
【００３３】
そして、胴差面材１３Ａと外壁面材１３との間の浅目地ＳＪには、防火性を有する目地材として、不燃性ボンドブレーカ７が設けられる。この不燃性ボンドブレーカ７は、アルミガラスクロス層上にボンドブレーカを一体的に備えた構造を有する。また、アルミガラスクロス層の下側に、両面テープが、その一方の粘着面によって貼付されている。なお、胴差面材１３Ａと外壁面材１３との間の浅目地ＳＪには、図示しない階間鋼板を固定する螺子１５の頭部が位置するため、不燃性ボンドブレーカ７の厚みを厚くすることができない。このため、不燃性ボンドブレーカ７は、上記難燃性発泡樹脂層４２を備えず、バッカーの機能は有しない。
【００３４】
上記階間部においても、隣り合う胴差面材１３Ａと外壁面材１３とに跨って屋内側に下地材１２が設けられており、上記胴差面材１３Ａと外壁面材１３との間に位置する浅目地ＳＪには、防火性を有する目地材である不燃性ボンドブレーカ７が上記下地材１２で支持されており、上記不燃性ボンドブレーカ７の上に湿式のシーリング材５が塗布された構造となる。これにより、上記浅目地ＳＪにおいても、金属製の薄板材を用いずに、不燃性ボンドブレーカ７による防火性が得られる。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
１      ：外壁パネル
２      ：柱材
２Ａ    ：胴差
３      ：締結部材
４      ：不燃性バックアップ材（防火性を有する目地材）
５      ：シーリング材
６      ：バックアップ材（防火性を有する目地材）
７      ：不燃性ボンドブレーカ（防火性を有する目地材）
１１    ：フレーム
１２    ：下地材
１３    ：外壁面材
１３Ａ  ：胴差面材
１４    ：下地材
４１    ：アルミガラスクロス層
４２    ：難燃性発泡樹脂層（防火性樹脂層）
４３    ：両面テープ
４４    ：ボンドブレーカ
１００  ：外壁構造
ＤＪ    ：深目地（第２目地）
ＳＪ    ：浅目地（第１目地）
【図１】
2020094418.tif 000003
【図２】
2020094418.tif 000004
【図３】
2020094418.tif 000005